(57)【特許請求の範囲】
【請求項１】
ｐ型のシリコン基板と、背面電極と、ｎ型のドープシリコン層と、前面電極と、を含む太陽電池において、
前記シリコン基板が第一表面と該第一表面に相対する第二表面を有し、該シリコン基板の第一表面に分離して設置された複数の凹槽が形成され、
前記背面電極が前記シリコン基板の第二表面に設置され、該第二表面とオーミック接触し、
前記ドープシリコン層が前記凹槽の内表面を含む前記第一表面上全体に設置され、
前記前面電極が前記シリコン基板の第一表面に設置され、
前記前面電極がカーボンナノチューブ構造体を含み、
前記カーボンナノチューブ構造体が、少なくとも一枚のカーボンナノチューブフィルムであり、単一のカーボンナノチューブフィルムは、配向して配列された複数のカーボンナノチューブを含み、該複数のカーボンナノチューブが同じ方向に沿って、均一的に配列されており、
前記前面電極は、前記凹槽の内表面と接触しないように前記凹槽の開口を被覆していることを特徴とする太陽電池。
【請求項２】
前記カーボンナノチューブフィルムにおけるカーボンナノチューブの間に隙間があることを特徴とする、請求項１に記載の太陽電池。
【請求項３】
前記太陽電池が複数の金属層を含み、該複数の金属層がそれぞれ前記シリコン基板の第一表面と前記前面電極の間に設置されることを特徴とする、請求項１または２に記載の太陽電池。
【発明の詳細な説明】
【技術分野】
【０００１】
本発明は、太陽電池に関し、特にカーボンナノチューブを使用した太陽電池に関するものである。
【背景技術】
【０００２】
太陽エネルギーは光起電力効果を利用し、光エネルギーを直接電力に変換する電力機器であり、光電池とも呼ばれる。一般的な一次電池や二次電池のように電力を蓄えるのではなく、光起電力効果により、受けた光を即時に電力に変換して出力する。主流のシリコン太陽電池（非特許文献１を参照する）の他、様々な化合物半導体などを素材にしたものが実用化されている。
【０００３】
図５を参照すると、従来技術のシリコン太陽電池３０は、背面電極３２、シリコン基板３４、ドープシリコン層３６及び前面電極３８を含む。前記シリコン基板３４は、第一表面３４０及び第二表面３４４を含む。前記背面電極３２は、該第一表面３４０とオーミック接触するように、前記シリコン基板３４の第一表面３４０に設置されている。前記シリコン基板３４の第二表面３４４に、複数の凹槽３４２が形成される。光電変換材料としての前記ドープシリコン層３６は、前記複数の凹槽３４２の内表面３４６に形成される。前記前面電極３８は、導電的な金属網を採用し、前記シリコン基板３４の第一表面３４４に設置されるが、前記導電的な金属が不透明な材料であるので、光の透過率に影響を与える。太陽電池の光電変換効率を高めるために、前記前面電極３８は、透明な酸化インジウムスズ層を採用する。
【先行技術文献】
【非特許文献】
【０００４】
【非特許文献１】張明杰等、“太陽電池及び多晶シリコンの製造”、「材料及び冶金の学報」、２００７年、第１６巻、第３３頁〜第３８頁
【非特許文献２】Ｋａｉｌｉ  Ｊｉａｎｇ、Ｑｕｎｑｉｎｇ  Ｌｉ、Ｓｈｏｕｓｈａｎ  Ｆａｎ、“Ｓｐｉｎｎｉｎｇ  ｃｏｎｔｉｎｕｏｕｓ  ｃａｒｂｏｎ  ｎａｎｏｔｕｂｅ  ｙａｒｎｓ”、Ｎａｔｕｒｅ、２００２年、第４１９巻、ｐ．８０１
【発明の概要】
【発明が解決しようとする課題】
【０００５】
しかし、前記酸化インジウムスズ層の機械的及び化学的耐用性が良くなく、該酸化インジウムスズ層が前面電極３８になると、抵抗の分布が不均一であるので、前記太陽電池は、耐用性が良くなく、光電変換効率が高くない欠点がある。
【０００６】
従って、本発明は、高い光電変換効率を有し、耐用性の優れた太陽電池を提供することを課題とする。
【課題を解決するための手段】
【０００７】
太陽電池は、シリコン基板と、背面電極と、ドープシリコン層と、前面電極と、を含む。前記シリコン基板が第一表面と該第一表面に相対する第二表面を有し、該シリコン基板の第一表面に分離して設置された複数の凹槽が形成され、前記背面電極が前記シリコン基板の第二表面に設置され、該第二表面とオーミック接触し、前記ドープシリコン層が前記凹槽の内表面に設置され、前記前面電極が前記シリコン基板の第一表面に設置され、前記前面電極がカーボンナノチューブ構造体を含む。
【０００８】
前記カーボンナノチューブ構造体が均一に分布された複数のカーボンナノチューブを含む。
【０００９】
前記カーボンナノチューブ構造体が少なくとも一枚のカーボンナノチューブフィルムを含む。
【００１０】
前記カーボンナノチューブフィルムが、同じ方向又は複数の方向に沿って配列された複数のカーボンナノチューブを含む。
【００１１】
前記カーボンナノチューブフィルムが、絡み合った複数のカーボンナノチューブを含む。
【００１２】
前記カーボンナノチューブフィルムが、等方的に配列された複数のカーボンナノチューブを含む。
【００１３】
前記シリコン基板がｐ型単結晶シリコン基板である。
【００１４】
前記ドープシリコン層が燐又は砒素を混合したｎ型シリコン層である。
【００１５】
前記太陽電池が複数の金属層を含み、該複数の金属層がそれぞれ前記シリコン基板の第一表面と前記前面電極の間に設置される。
【００１６】
前記太陽電池が反射防止層を含み、該反射防止層が前記前面電極の第一表面又は第二表面に設置される。
【発明の効果】
【００１７】
従来の太陽電池と比べると、本発明の太陽電池の前面電極は、カーボンナノチューブ構造体を採用しており、太陽の光エネルギーをよく吸収することができるので、該太陽電池は高い光電変換効率を有している。前記カーボンナノチューブ構造体は、優れた強靭性と機械的強度を有しているので、該カーボンナノチューブ構造体を前面電極とする太陽電池の耐用性を高めることができる。
【００１８】
また、前記カーボンナノチューブ構造体は、カーボンナノチューブアレイから形成されるものであるので、製造された太陽電池のコストが低くなる。前記カーボンナノチューブ構造体が均一的な構造を有し、該カーボンナノチューブ構造体を使用した前面電極が均一的な抵抗を有するので、前記太陽電池の性能を高めることができる。前記カーボンナノチューブ構造体における隣接するカーボンナノチューブの間に均一的に配列された隙間を有するので、該カーボンナノチューブ構造体を使用した前面電極は、優れた透光性を有する。
【図面の簡単な説明】
【００１９】
【図１】本発明の実施形態に係る太陽電池の構造を示す断面図である。
【図２】図１に示す太陽電池の前面電極のカーボンナノチューブフィルムを示す図である。
【図３】図２に示すカーボンナノチューブフィルムにおけるカーボンナノチューブセグメントを示す図である。
【図４】本発明の実施形態に係る太陽電池の構造を示す下視図である。
【図５】従来技術の太陽電池の構造を示す図である。
【発明を実施するための形態】
【００２０】
以下、図面を参照して、本発明の実施形態について説明する。
【実施例１】
【００２１】
図１を参照すると、本実施形態は、太陽電池１０を提供する。該太陽電池１０は、背面電極１２、シリコン基板１４、ドープシリコン層１６及び前面電極１８を含む。前記シリコン基板１４は、第二表面１４０及び該第二表面１４０に相対する第一表面１４４を含む。前記背面電極１２は、前記シリコン基板１４の第二表面１４０に設置され、該第二表面１４０とオーミック接触する。前記シリコン基板１４の第一表面１４４には、複数の凹槽１４２が分離して設置されている。前記ドープシリコン層１６は光電変換材料として、前記複数の凹槽１４２の内表面１４６に形成される。前記前面電極１８は、前記シリコン基板１４の第一表面１４４に設置される。該前面電極１８は、第一表面１８２及び該第一表面１８２に相対する第二表面１８４を含む。
【００２２】
前記太陽電池１０は、複数の金属層２０を含む。該金属層２０の材料は、アルミニウム又は銀である。前記複数の金属層２０は、それぞれ前記シリコン基板１４の第一表面１４４に設置し、前記前面電極１８との間に複数のヘテロ接合（ｈｅｔｅｒｏｊｕｎｃｔｉｏｎ）が形成されるので、該前面電極１８とシリコン基板１４との電気接続性を高めることができ、前記太陽電池１０の光電変換効率を高めることができる。
【００２３】
前記太陽電池１０は、さらに第一電極２２と第二電極２４を含む。該第一電極２２と第二電極２４は、銀又は金からなり、分離して前記前面電極１８の第一表面１８２に設置し、該第一表面１８２に電気的に接続される。前記第一電極２２と第二電極２４は、前記前面電極１８に流された電流を収集することに用いられる。
【００２４】
前記太陽電池１０は反射防止層２６を含む。該反射防止層２６は二酸化チタンからなり、前記前面電極１８の第一表面１８２又は第二表面１８４に設置される。前記反射防止層２６を利用することにより、太陽光を反射することを減少し、前記太陽電池１０の光電変換効率を高めることができる。
【００２５】
前記背面電極１２の材料は、アルミニウム、マグネシウム、銀などの金属である。該背面電極１２の厚さは１０マイクロメートル〜３００マイクロメートルである。
【００２６】
前記シリコン基板１４は、ｐ型単結晶シリコン基板であり、その厚さが２００マイクロメートル〜３００マイクロメートルである。隣接する前記凹槽１４２の距離が１０マイクロメートル〜３０マイクロメートルであり、前記凹槽１４２の深さが５０マイクロメートル〜７０マイクロメートルである。前記複数の凹槽１４２の形状と寸法は制限されることなく、該凹槽１４２の断面が正方形、台形又は三角形などの多角形である。前記ドープシリコン層１６は、ｎ型ドープシリコン層であり、その厚さは、５００ナノメートル〜１マイクロメートルである。前記ドープシリコン層１６は、例えば、前記シリコン基板１４に多量の燐又は砒素などのｎ型ドープト材料を打込むことによって形成される。これにより、前記ｎ型ドープト材料と前記ｐ型シリコン基板１４との間に複数のｐｎ接合を形成でき、光エネルギーを電気エネルギーに変換させることができる。前記シリコン基板１４の第一表面１４４に前記複数の凹槽１４２が形成されているので、前記太陽電池１０はよく光エネルギーを吸収することができ、大きなｐｎ接合の界面面積を有する。従って、太陽電池１０の光電変換の効率を高めることができる。
【００２７】
前記前面電極１８は、カーボンナノチューブ構造体を採用する。前記カーボンナノチューブ構造体は、均一に分布された複数のカーボンナノチューブを含む。
【００２８】
前記カーボンナノチューブ構造体におけるカーボンナノチューブは、単層カーボンナノチューブ、二層カーボンナノチューブ又は多層カーボンナノチューブである。該カーボンナノチューブ構造体におけるカーボンナノチューブが単層カーボンナノチューブである場合、該単層カーボンナノチューブの直径は０．５ナノメートル〜５０ナノメートルである。該カーボンナノチューブ構造体におけるカーボンナノチューブが二層カーボンナノチューブである場合、該二層カーボンナノチューブの直径は１.０ナノメートル〜５０ナノメートルである。該カーボンナノチューブ構造体におけるカーボンナノチューブが多層カーボンナノチューブである場合、該多層カーボンナノチューブの直径は１．５ナノメートル〜５０ナノメートルである。前記カーボンナノチューブ構造体におけるカーボンナノチューブが不純物を含まず、該カーボンナノチューブ自体の比表面積が大きいので、該カーボンナノチューブ構造体自体が強い接着性を有する。従って、該カーボンナノチューブ構造体は、自身の接着性を利用して、直接前記シリコン基板の第１表面１４４に接着し、前記複数の凹槽１４２の開口を被覆することができる。
【００２９】
さらに、前記カーボンナノチューブ構造体は少なくとも一枚のカーボンナノチューブフィルムを含むことができる。単一の前記カーボンナノチューブフィルムにおいて、複数のカーボンナノチューブが配向し又は配向せず配列している。
【００３０】
前記複数のカーボンナノチューブが配向して配列する場合、前記複数のカーボンナノチューブは前記カーボンナノチューブ構造体の表面に平行し、同じ方向又は複数の方向に沿って配列されている。前記複数のカーボンナノチューブが配向せず配列する場合、前記複数のカーボンナノチューブは、互いに絡み合って、或いは、等方的に配列されているである。
【００３１】
実施例１として、前記複数のカーボンナノチューブが配向して配列するカーボンナノチューブフィルムは、図２に示されている。前記カーボンナノチューブフィルムは、カーボンナノチューブアレイから引き伸ばし、形成されるものである。該カーボンナノチューブフィルムは、同じ方向に沿って、配列された複数のカーボンナノチューブを含む。図３を参照すると、具体的には、前記カーボンナノチューブフィルムは、端と端に接続され、長さが基本的に同じな複数のカーボンナノチューブセグメント１８６を含む。前記カーボンナノチューブセグメント１８６は、端と端が分子間力で連接される。各々のカーボンナノチューブセグメント１８６は、同じ方向に沿って、均一的に配列される複数のカーボンナノチューブ１８８からなり、各々の前記カーボンナノチューブ１８８が分子間力で緊密に連接される。前記カーボンナノチューブフィルムは、カーボンナノチューブアレイから引き伸ばすことによって、形成されるので、該カーボンナノチューブフィルムの長さと幅は、カーボンナノチューブアレイが成長された基板の寸法に関係する。
【００３２】
本実施形態において、化学気相成長（ＣＶＤ）法で４インチの基板に超配列カーボンナノチューブアレイ（非特許文献２を参照）を成長させる。前記カーボンナノチューブフィルムの幅は、０．０１センチメートル〜１０センチメートルであり、厚さは、１０ナノメートル〜１００マイクロメートルである。
【００３３】
また、前記カーボンナノチューブフィルムの寸法が実際の応用を満足することができない場合、複数の前記カーボンナノチューブフィルムを隙間なく平行して並列させて、大寸法のカーボンナノチューブフィルムを形成することができる。
【００３４】
実施例２として、単一のカーボンナノチューブフィルムは、絡み合った複数のカーボンナノチューブを含む。ここで、前記複数のカーボンナノチューブは、分子間力で接近して、相互に絡み合って、カーボンナノチューブネットで形成されている。前記複数のカーボンナノチューブは、等方的に、均一に前記カーボンナノチューブ構造体に分布されている。前記複数のカーボンナノチューブは配向せずに配列されて、多くの微小な穴が形成されている。ここで、単一の前記微小な穴の直径が１０マイクロメートル以下になる。前記カーボンナノチューブフィルムの厚さは、１マイクロメートル〜１ミリメートルである。前記カーボンナノチューブフィルムは、溶液に浸漬したカーボンナノチューブ原料をろ過して成るものである。
【００３５】
実施例３として、単一のカーボンナノチューブフィルムは、異なる方向に沿って配列された複数のカーボンナノチューブを含む。前記カーボンナノチューブフィルムは、押し器具を利用して、カーボンナノチューブアレイを同じ方向又は異なる方向に沿って押して形成するものである。前記カーボンナノチューブフィルムにおいて、隣接するカーボンナノチューブは分子間力で接続され、カーボンナノチューブフィルムの表面と０°〜１５°の角度が形成されている。前記カーボンナノチューブフィルムの厚さは、０．５ナノメートル〜１ミリメートルである。
【００３６】
前記カーボンナノチューブ構造体は、積層された二枚のカーボンナノチューブフィルムを含むことができる。隣接する二枚のカーボンナノチューブフィルムにおけるカーボンナノチューブは、同じ方向又は異なる方向に沿って、配列される。具体的には、隣接する二枚のカーボンナノチューブフィルムにおけるカーボンナノチューブは、角度αを成す。該角度αが０°以上９０°以下である。
【００３７】
前記カーボンナノチューブフィルムにおけるカーボンナノチューブの間に隙間があるので、前記前面電極１８は均一な抵抗、及び優れた透光性を有する。かつ、前記前面電極１８にカーボンナノチューブ構造体を利用するので、該前面電極１８は優れた強靭性と機械的強度を有する。従って、前記前面電極１８を使用した太陽電池１０の光電変換効率と耐用性を高めることができる。
【００３８】
前記前面電極１８は、例えば、カーボンナノチューブワイヤ、カーボンナノチューブ複合材料などのカーボンナノチューブ構造体でも良く、透光性、導電性及び耐用性などの特性を有するカーボンナノチューブ構造体でも良い。
【００３９】
太陽光は前記カーボンナノチューブ構造体に照射し、該カーボンナノチューブ構造体における隣接するカーボンナノチューブの間の隙間を通過して、前記太陽電池１０の複数の凹槽１４２を照射する。太陽光が該凹槽１４２の内表面に繰り返して反射されるので、該太陽電池１０におけるシリコン基板１４の第一表面１４４が更によく光エネルギーを吸収することができる。前記複数の凹槽１４２の内表面１４６において、ｐ型シリコン基板１４とｎ型ドープシリコン層１６とが接合して、複数のｐｎ接合が形成されている。接合する表面では、ｎ型ドープシリコンにおける余分の電子がｐ型シリコン基板に移動するようになり、抵抗層又は接触電位差(ｃｏｎｔａｃｔ  ｐｏｔｅｎｔｉａｌ  ｄｉｆｆｅｒｅｎｃｅ)が生じる。前記ｐ型シリコン基板が陽極に接続され、前記ｎ型ドープシリコンが陰極に接続されると、該ｎ型ドープシリコンにおける余分の電子及びｐｎ接合の電子が陽極に移動しやすいので、前記抵抗層が薄くなり、前記接触電位差が小さくなる。従って、抵抗が小さくなり、大きな電流を形成することができる。即ち、前記ｐｎ接合に太陽光があたると、それが刺激となって、複数の電子と正孔を発生する。複数の電子と正孔は、前記ｐｎ接合によって振り分けられ、前記ｎ型ドープシリコンにおける電子が前記前面電極１８に移動し、前記ｐ型シリコン基板における正孔が前記背面電極１２に移動する。これによって、該前面電極１８と該背面電極１２の間の外部回路に電流を生み出す。
【００４０】
前記前面電極１８は、カーボンナノチューブ構造体を採用しており、太陽の光エネルギーをよく吸収することができるので、該前面電極１８を使用した太陽電池１０は高い光電変換効率を有している。前記カーボンナノチューブ構造体は、優れた強靭性と機械的強度を有しているので、該カーボンナノチューブ構造体を前面電極１８とする太陽電池１０の耐用性を高めることができる。前記カーボンナノチューブ構造体は、カーボンナノチューブアレイから形成されるものであるので、製造された太陽電池１０がコストが低くなる。前記カーボンナノチューブ構造体が均一的な構造を有し、該カーボンナノチューブ構造体を使用した前面電極１８が均一的な抵抗を有するので、前記太陽電池１０の性能を高めることができる。前記カーボンナノチューブ構造体における隣接するカーボンナノチューブの間に均一的に配列された隙間を有するので、該カーボンナノチューブ構造体を使用した前面電極１８は、優れた透光性を有する。
【符号の説明】
【００４１】
１０、３０  太陽電池
１２、３２  背面電極
１４、３４  シリコン基板
１６、３６  ドープシリコン層
１８、３８  前面電極
２０  金属層
２２  第一電極
２４  第二電極
２６  反射防止層
１４０、３４０  シリコン基板の第二表面
１４２、３４２  凹槽
１４４、３４４  シリコン基板の第一表面
１４６、３４６  凹槽の内表面
１８２  前面電極の第一表面
１８４  前面電極の第二表面
１８６  カーボンナノチューブセグメント
１８８  カーボンナノチューブ
【図１】
0005270406.tif 000002
【図３】
0005270406.tif 000003
【図４】
0005270406.tif 000004
【図５】
0005270406.tif 000005
【図２】
0005270406.tif 000006